(57)【要約】【課題】いつまでも異物を良好に除去するとともに、除去した異物が飛散しないようにする。【解決手段】画像形成装置は、作像装置、シート搬送装置などを備える。そのシート搬送装置は、異物除去装置４０を備える。異物除去装置は、ローラ状の回転体４２のまわりに刷毛４３を設けた異物除去部材４１を、刷毛が、シートを搬送するレジストローラ（シート搬送回転体）２２の周面に接するように備える。また、異物除去装置は、異物除去部材によりレジストローラから除去した異物を収納する異物収納ケース４４と、その異物収納ケース内に堆積した異物を検知する異物検知センサとを備える。【選択図】        図２
2004256228.tif 000002
【特許請求の範囲】
【請求項１】
回転体のまわりに刷毛を設けた異物除去部材を、前記刷毛が、シートを搬送するシート搬送回転体に接するように備えるとともに、
前記異物除去部材により前記シート搬送回転体から除去した異物を収納する異物収納ケースと、その異物収納ケース内に堆積した異物を検知する異物検知センサとを備えることを特徴とする、異物除去装置。
【請求項２】
前記異物検知センサが光学式センサであることを特徴とする、請求項１に記載の異物除去装置。
【請求項３】
前記異物除去センサを、前記異物収納ケースの高さ方向に複数段に設けることを特徴とする、請求項１に記載の異物除去装置。
【請求項４】
請求項１ないし３のいずれか１に記載の異物除去装置を備えることを特徴とする、シート搬送装置。
【請求項５】
請求項４に記載のシート搬送装置を備えることを特徴とする、画像形成装置。
【請求項６】
前記異物収納ケースに所定量の異物が堆積したことを前記異物検知センサが検知したとき、そのことを表示する表示部を備えることを特徴とする、請求項５に記載の画像形成装置。
【請求項７】
前記表示部が、前記異物収納ケースの現在の異物堆積量を表示することを特徴とする、請求項５または６に記載の画像形成装置。
【発明の詳細な説明】
【０００１】
【発明の属する技術分野】
この発明は、例えば、印刷機、複写機、プリンタ、ファクシミリ、またはそれらの複合機など、用紙・ＯＨＰフィルム等のシートに画像を形成する画像形成装置に関する。および、そのような画像形成装置などに備え、シートを搬送するシート搬送装置に関する。および、そのようなシート搬送装置に備える異物除去装置に関する。
【０００２】
【従来の技術】
例えば複写機では、近年、用紙として、自然環境への配慮から再生紙が用いられたり、低コストを追求して表面性状の悪い用紙、または端面の裁断性状の悪い用紙が用いられたりすることが多くなってきた。
【０００３】
そして、そのような用紙を複写機に用いると、用紙表面に弱い力で付着している繊維、または製造過程で加える様々な添加物、もしくは添加剤が、シート搬送の途中で用紙からはがれて紙粉となる。
【０００４】
その紙粉が、例えばシート搬送装置に備えるシート搬送ローラ（シート搬送回転体）に付着すると、摩擦係数の低下を招き、用紙の搬送不良を生じる原因となり問題となっていた。
【０００５】
また、紙粉が、複写機に備える像担持体に付着すると、その像担持体をクリーニングするクリーニング手段を傷つける原因となり、それにより像担持体のクリーニング不良を起こすので、黒スジ画像等の画像形成不良を生じたりする原因となり問題となっていた。
【０００６】
さらに、紙粉がトナーと混ざり、それが例えば定着装置で高温にさらされると、固着してしまうため、用紙の搬送不良を生じる原因となり問題となっていた。
【０００７】
このため、複写機が備えるシート搬送装置のなかには、紙粉等の異物を除去することを目的として、以下のようなものがあった。
【０００８】
▲１▼  シート搬送ローラに、薄板状のポリエチレンテレフタレートのシート、または板状のゴムなどの弾性体からなるクリーニング手段を押し当て、それにより異物をかき落として、シート搬送ローラから異物を除去するもの。
【０００９】
▲２▼  シート搬送時、電圧印加手段によりシート搬送ローラを帯電して、導電性の異物をシート搬送ローラに付着して、用紙から異物を除去するもの。
【００１０】
▲３▼  シート搬送ローラの周囲に粘着部材を備え、その粘着部材に異物を付着して、シート搬送ローラから異物を除去するもの。
【００１１】
【特許文献１】特開平１０−３５９３３号公報
例えば、シート搬送ローラの周囲に粘着部材を備えるシート搬送装置についての技術が、特許文献１に記載されている。このシート搬送装置は、図８に示すように、給送ローラ（シート搬送回転体）１ａ・１ｂと、それら給送ローラ１ａ・１ｂのそれぞれの周面に接触可能な粘着部材のクリーニングローラ２とをそれぞれ回転自在に備える。そして、シート搬送時、例えばクリーニングローラ２を給送ローラ１ｂに接触させてから、給送ローラ１ａ、１ｂを回転して用紙Ｓを搬送するとともに、その回転により、給送ローラ１ｂからクリーニングローラ２の周面に異物を付着させて、例えば給送ローラ１ｂから異物を除去していた。
【００１２】
▲４▼  シート搬送ガイドに穴を設け、用紙から離れた異物をその穴から落下させ、再び用紙に付着したり、像担持体に付着したりしないようにするもの。
【００１３】
【特許文献２】特開平１０−２７９１２２号公報
例えば、そのようなシート搬送ガイドを備えるシート搬送装置についての技術が、特許文献２に記載されている。このシート搬送装置は、図９に示すように、用紙を案内するシート搬送ガイド３に、シート搬送方向にのびるリブ４をシート搬送方向と直交する方向に複数設けるとともに、それらのリブ４間にそれぞれ穴５を設けていた。そして、用紙を搬送する際、シート搬送ガイド３の穴５に、用紙から落下する異物を入れて、再び用紙に付着したり、像担持体に付着したりしないようにしていた。
【００１４】
【発明が解決しようとする課題】
しかし、▲１▼の複写機が備えるシート搬送装置は、クリーニング手段とシート搬送ローラとの接触部に異物がすぐに堆積し、それがこぼれて例えば再び用紙に付着し、画像形成不良を生じる原因となり問題となっていた。また、シート搬送ローラがゴム等の弾性体で形成されていると、シート搬送ローラにクリーニング手段が食い込んでしまい、負荷が異常に高くなるとともに回転トルクが増大する問題、またはシート搬送ローラの表面が剥離するなどの問題があった。
【００１５】
また、▲２▼の複写機が備えるシート搬送装置は、帯電のための電圧印加手段を別途設けなければならず、複写機が高価となる問題があった。さらに、電子写真方式の画像形成装置では、用紙を帯電したまま画像形成を行うと、画像形成不良を生じるため、除電装置を別途設けなければならず、一層複写機が高価となる問題があった。
【００１６】
また、▲３▼の複写機が備えるシート搬送装置は、粘着部材であるクリーニングローラ２の耐久性が低いため、すぐにクリーニングローラ２を交換しなければならなかった。また、そのように、すぐにクリーニングローラ２を交換するメンテナンスが必要となるので、手間がかかるとともに複写機を維持するためのコストがかかる問題があった。
【００１７】
また、▲４▼の複写機が備えるシート搬送装置は、シート搬送ガイド３に穴５を設けているだけなので、用紙に付着している異物を良好に除去することができなかった。
【００１８】
以上説明したように、従来の▲１▼から▲４▼の複写機が備えるシート搬送装置は、何らかの問題があった。
【００１９】
そこで、この発明の第１の目的は、そのような問題点を解消し、いつまでも異物を良好に除去するとともに、除去した異物が飛散しないようにすることにある。
【００２０】
この発明の第２の目的は、回収した異物の量を確実に検知可能とすることにある。
【００２１】
この発明の第３の目的は、異物の回収状況を把握可能とすることにある。
【００２２】
この発明の第４の目的は、第１の目的および第２の目的を達成した異物除去装置を備えるシート搬送装置を提供することにある。
【００２３】
この発明の第５の目的は、第４の目的を達成したシート搬送装置を備える画像形成装置を提供することにある。
【００２４】
この発明の第６の目的は、回収した異物の量を画像形成装置のユーザーが容易に認識可能とすることにある。
【００２５】
この発明の第７の目的は、回収した異物の現在量を画像形成装置のユーザーが常に認識可能とすることにある。
【００２６】
【課題を解決するための手段】
そのため、請求項１に係る発明は、上述した第１の目的を達成すべく、
回転体のまわりに刷毛を設けた異物除去部材を、刷毛が、シートを搬送するシート搬送回転体に接するように備えるとともに、
異物除去部材によりシート搬送回転体から除去した異物を収納する異物収納ケースと、その異物収納ケース内に堆積した異物を検知する異物検知センサとを備えることを特徴とする。
【００２７】
請求項２に係る発明は、上述した第２の目的も達成すべく、
請求項１に記載の異物除去装置において、
異物検知センサが光学式センサであることを特徴とする。
【００２８】
請求項３に係る発明は、上述した第３の目的も達成すべく、
請求項１に記載の異物除去装置において、
異物除去センサを、異物収納ケースの高さ方向に対して複数段に設けることを特徴とする。
【００２９】
請求項４に係る発明は、上述した第４の目的も達成すべく、
請求項１ないし３のいずれか１に記載の異物除去装置を備えるシート搬送装置である。
【００３０】
請求項５に係る発明は、上述した第５の目的も達成すべく、
請求項４に記載のシート搬送装置を備える画像形成装置である。
【００３１】
請求項６に係る発明は、上述した第６の目的も達成すべく、
請求項５に記載の画像形成装置において、
異物収納ケースに所定量の異物が堆積したことを異物検知センサが検知したとき、そのことを表示する表示部を備えることを特徴とする。
【００３２】
請求項７に係る発明は、上述した第７の目的も達成すべく、
請求項５または６に記載の画像形成装置において、
表示部が、異物収納ケースの現在の異物堆積量を表示することを特徴とする。
【００３３】
【発明の実施の形態】
以下、図面を参照しつつ、この発明の実施の形態につき説明する。図１には、この発明に係る異物除去装置、およびシート搬送装置を備える電子写真方式の複写機（画像形成装置）で、その内部機構の全体概略構成を示す。
【００３４】
図中符号１０は、複写機装置本体である。その装置本体１０の内部上に、画像読取装置１１を備えてなる。
【００３５】
その複写機装置本体１０内の中央やや右側には、ドラム状の像担持体１２を回転自在に設ける。像担持体１２のまわりには、その上に配置する帯電装置１３から像担持体１２の矢印Ａで示す回転方向に順に、現像装置１４、転写装置１５、クリーニング装置１６などを配置する。また、像担持体１２の上には、光書込み装置１７を配置する。
【００３６】
そして、それらの装置１２、１３、１４、１５、１６、１７および像担持体１２で、作像装置Ｂを構成する。
【００３７】
そのような作像装置Ｂのクリーニング装置１６の図中左には、定着装置１８を設ける。定着装置１８には、例えば、熱源であるヒータを内蔵する定着ローラ１８Ａと、その定着ローラ１８Ａの下方から押し当てる加圧ローラ１８Ｂとを設ける。
【００３８】
そのような複写機装置本体１０内には、シート搬送装置Ｃを設ける。シート搬送装置Ｃは、図中下から上に向けて伸びてから左に曲がり、像担持体１２と転写装置１５間の転写位置Ｄを通過してさらに左へとのびるシート搬送路Ｒを通してシートＳを搬送するものであり、用紙・ＯＨＰフィルム等のシートＳを積載して収納するシートカセット１９、そのシートカセット１９からシートＳを順次上から一枚ずつ送り出す給送ローラ（シート搬送回転体）２０、送り出したシートＳを搬送するシート搬送ローラ（シート搬送回転体）２１、シートＳの先端を突き当てて止めるレジストローラ（シート搬送回転体）２２、転写画像形成後のシートＳを定着装置１８へと搬送するベルト搬送装置（シート搬送回転体）２３、画像定着後のシートＳを排出する排出ローラ２４などを備えている。
【００３９】
また装置本体１０の図中左側面には、排出ローラ２４により排出するシートＳを受ける排紙トレイ２５を設ける。
【００４０】
そのような複写機装置本体１０内のシートカセット１９の上には両面ユニット２６を設ける。両面ユニット２６へは、定着装置１８出口位置でシート搬送路Ｒから分岐する反転路Ｒ１を形成してなる。また、両面ユニット２６からは、シート搬送ローラ２１上流位置でシート搬送路Ｒに合流する再給紙路Ｒ２を形成してなる。
【００４１】
また、装置本体１０上に備える画像読取装置１１は、光源３０、複数のミラー３１、結像レンズ３２、ＣＣＤ等のイメージセンサ３３などを備えてなる。
【００４２】
そのような画像読取装置１１の上面には、コンタクトガラス３５を設ける。そのコンタクトガラス３５の上には、開閉自在にシート押え板３６を設ける。
【００４３】
さて、いま、図示複写機を用いてコピーをとるときは、不図示のメインスイッチをオンするとともに、シート押え板３６を開いてコンタクトガラス３５上に直接原稿をセットしてから、シート押え板３６を閉じてそれで原稿を押える。
【００４４】
そして、不図示のスタートスイッチを押すと、直ちに画像読取装置１１が駆動する。すなわち、光源３０を点灯し、その光源３０からの光を原稿に反射させ、原稿からの反射光を、複数のミラー３１を介するとともに、結像レンズ３２を通して、イメージセンサ３３により原稿の内容を読み取る。そのようにして読み取った原稿の内容は、電気的なデジタル信号に変換する。
【００４５】
また、このとき、同時に、作像装置Ｂでは、像担持体１２を矢印Ａで示す時計まわりに回転するとともに、帯電装置１３で表面を一様に帯電し、次いで、画像読取装置１１で読み取った読取内容に応じたデジタル画像信号に基づきレーザ光Ｌを照射して光書込み装置１７で書き込みを行い、像担持体１２の表面に静電潜像を形成し、そののち、現像装置１４でトナーを付着してその静電潜像を可視像化したトナー画像を形成する。
【００４６】
また、スタートスイッチを押したとき同時に、シート搬送装置Ｃでは、給送ローラ２０を回転することにより、シートカセット１９内に収納するシートＳを繰り出して、シート搬送路Ｒに入れてシート搬送ローラ２１で搬送し、レジストローラ２２に突き当てて止める。そして、像担持体１２の回転にタイミングを合わせて該レジストローラ２２を回転し、像担持体１２の下方へと送り込む。
【００４７】
それから、像担持体１２の下方へと送り込んだシートＳに、転写位置Ｄで、転写装置１５により、像担持体１２上のトナー画像を転写して転写画像を形成する。転写画像形成後の像担持体１２は、クリーニング装置１６で残留トナーを除去して表面を清掃し、次の同様な画像形成に備える。
【００４８】
一方、転写画像形成後のシートＳは、ベルト搬送装置２３で搬送して定着装置１８に入れ、定着ローラ１８Ａと加圧ローラ１８Ｂで熱と圧力を加えて転写画像を定着する。その後、排出ローラ２１により排出トレイ２５上に排出する。
【００４９】
シートＳの両面に画像を形成するときは、シート搬送路Ｒから反転路Ｒ１に入れ、両面ユニット２６で反転してから、再搬送ローラ（シート搬送回転体）２７により搬送して再給紙路Ｒ２を通して再びシート搬送路Ｒに入れ、シートＳの裏面にも、別途像担持体１２上に形成したトナー画像を転写して転写画像形成後、その転写画像を定着装置１８で定着して排出トレイ２５に排出する。
【００５０】
ところで、前述した図１に示すシート搬送装置Ｃに備える異物除去装置を図２を用いて説明する。
【００５１】
その異物除去装置４０は、例えばシート搬送装置Ｃに備えてシートを搬送するシート搬送回転体、たとえばレジストローラ２２などに備える。そのレジストローラ２２は、例えば不図示の駆動装置から駆動力を伝達する駆動ローラ２２ａおよびそれに押し当てる従動ローラ２２ｂとからなる。
【００５２】
そのような異物除去装置４０は、異物除去部材４１を備えてなる。その異物除去部材４１は、回転体、例えばローラ４２のまわりに刷毛４３を設けて形成する。なお、その刷毛４３には、導電性を有するものを用いてもよい。
【００５３】
そして、ローラ４２を、レジストローラ２２に平行に配置するとともに、そのレジストローラ２２の駆動ローラ２２ａの周面に、異物除去部材４１の刷毛４３の先端が接するように配置する。
【００５４】
また、異物除去装置４０は、異物除去部材４１によりレジストローラ２２から除去した異物を収納する例えば箱状の異物収納ケース４４を備える。また、異物除去装置４０は、例えば図３に示すように、異物収納ケース４４内の所定高さに、ケース４４内に堆積した異物４６を検知する異物検知センサ４５を備える。
【００５５】
そして、シート搬送時、図２に示すレジストローラ２２が回転する方向と、例えば同方向に速度差をつけてローラ４２を回転する。このとき、シートＳに付着した異物は、レジストローラ２２に付着し、そのレジストローラ２２に付着した異物は、異物除去部材４１の刷毛４３に付着する。
【００５６】
その異物除去部材４１に付着した異物は、重力により落下し、異物収納ケース４４に収納する。そして、図３に示すように、異物収納ケース４４内に異物４６が堆積する。
【００５７】
長期間、そのように異物収納ケース４４内に異物４６を堆積していると、やがて、異物収納ケース４４内の所定高さに備えた異物検知センサ４５に、異物４６が接触する。すると、複写機装置本体１０が備える表示部にその旨を表示する。その表示部の表示を、使用者、サービスマンなどが見ることにより、それらの者が、異物収納ケース４４内に堆積した異物４６を除去する。
【００５８】
なお、前述したように刷毛４３に、導電性を有するものを用いれば、レジストローラ２２の回転により刷毛４３が擦れて静電気が発生し、それによりレジストローラ２２にも静電気が発生して帯電する。このようにレジストローラ２２が帯電した状態で、シートＳを搬送すると、その帯電による静電気力により、シートＳの異物をレジストローラ２２に付着して、異物を一層除去することができる。
【００５９】
なお、前述した例において、異物除去部材４１の刷毛４３が接するシート搬送回転体として、レジストローラ２２を用いて説明したが、この発明は、それに限られず、シート搬送回転体である給送ローラ２０、シート搬送ローラ２１、再搬送ローラ２７などの周面に異物除去部材４１の刷毛４３が接するように、異物除去装置４０を設けても良い。
【００６０】
また、シート搬送回転体は、ローラ状のものに限られず、例えば複数のローラにベルトを掛け回したシート搬送回転体、例えばベルト搬送装置２３のベルトの外面に異物除去部材４１の刷毛４３が接するように、異物除去装置４０を設けても良い。
【００６１】
ところで、図４には、この発明による別の異物除去装置４８を示す。この異物除去装置４８が備える異物検知センサ４９は、光学式センサである。
【００６２】
その光学式センサの異物検知センサ４９には、例えば発光素子４９ａと受光素子４９ｂとを備える透過式のものを用いる。
【００６３】
それらの素子４９ａ・４９ｂは、複写機装置本体１０が備える制御部５０と接続する。また、その制御部５０は、複写機装置本体１０が備える表示部５１と接続する。
【００６４】
そして、そのような複写機のメインスイッチをオンしたときの異物除去装置４８の動作を図５に示すフローチャートを用いて説明する。
【００６５】
複写機のメインスイッチをオンすると、発光素子４９ａから光を発する。
【００６６】
Ｓ１では、その発光素子４９ａからの光を受光素子４９ｂが受光したか否かを判断する。受光すればオンとなり、異物収納ケース４４内に異物４６が満杯となっていないので、ループを形成してＳ１に戻る。一方、受光しなければオフとなり、Ｓ２に進む。
【００６７】
Ｓ２では、受光しない場合、異物収納ケース４４内に異物４６が満杯となっているので、その旨を表示部５１に表示してからＳ１に戻る。
【００６８】
よって、この複写機は、異物収納ケース４４に所定量の異物４６が堆積したことを光学式センサ４９が検知したとき、そのことを表示する表示部５１を備える。
【００６９】
ところで、図６には、この発明によるまた別の異物除去装置５４を示す。この異物除去装置５４は、異物検知センサ５５・５６・５７・５８・５９・６０を、異物収納ケース４４高さ方向に、例えば６段に設ける。
【００７０】
その異物検知センサ５５・５６・５７・５８・５９・６０には、例えば透過式の光学式センサをそれぞれ用いる。
【００７１】
それぞれの異物検知センサ５５・５６・５７・５８・５９・６０は、複写機装置本体１０が備える制御部５０と接続する。また、その制御部５０は、複写機装置本体１０が備える表示部５１と接続する。
【００７２】
そして、そのような複写機のメインスイッチをオンしたときの異物除去装置５４の動作を図７に示すフローチャートを用いて説明する。
【００７３】
複写機のメインスイッチをオンすると、異物検知センサ５５・５６・５７・５８・５９・６０のそれぞれの発光素子５５ａ・５６ａ・５７ａ・５８ａ・５９ａ・６０ａから光を発する。
【００７４】
Ｓ３では、それらの発光素子５５ａ・５６ａ・５７ａ・５８ａ・５９ａ・６０ａからの光を受光素子５５ｂ・５６ｂ・５７ｂ・５８ｂ・５９ｂ・６０ｂがそれぞれ受光したか否かを判断する。すべて受光すればそれぞれオンとなり、異物収納ケース４４内に異物がほとんど入っていないので、ループを形成してＳ３に戻る。一方、１つでも受光すれば、受光しないものがオフ、受光したものがオンとなり、Ｓ４に進む。
【００７５】
Ｓ４では、それらに対応するように表示部５１に表示することにより、異物収納ケース４４の現在の異物４６の堆積量を表示してからＳ３に戻る。
【００７６】
なお、前述した例において、異物検知センサ４９、５５、５６、５７、５８、５９、６０に透過式の光学式センサを用いて説明したが、この発明は、それに限られず、反射式の光学式センサを用いても良い。
【００７７】
【発明の効果】
以上説明したとおり、請求項１に記載の発明によれば、回転体のまわりに刷毛を設けた異物除去部材を、刷毛が、シートを搬送するシート搬送回転体に接するように備えるので、シート搬送回転体の回転により、そのシート搬送回転体に付着した異物、例えばシートの一例である用紙から発生した紙粉・タルクなどの添加物、落下トナー、ゴミ、または埃などを良好に除去することができる。
【００７８】
そして、そのようにシート搬送回転体に付着した異物を良好に除去するので、異物が像担持体に付着することによる画像形成不良、異物がシート搬送回転体に付着することによるシート搬送不良、異物が定着ローラに付着することによる定着不良などの発生を防止することができる。
【００７９】
また、異物除去部材により除去した異物を収納する異物収納ケースを備えるので、除去した異物が飛散しないようにすることができる。
【００８０】
加えて、異物収納ケース内に堆積した異物を検知する異物検知センサを備えるので、異物収納ケースが満杯となることを検知することができる。
【００８１】
さらに加えて、従来の、弾性体のクリーニング手段を備えるもの、または粘着部材を備えるものと、本発明による異物除去部材を備えるものとを比較すると、後者のものが異物を収納できる容量が大きいので、長期間にわたり異物を良好に除去することができる。
【００８２】
請求項２に係る発明によれば、異物検知センサが光学式センサであるので、例えばマイクロスイッチのように異物検知センサに直接異物が接触することを不要にでき、回収した異物の量を確実に検知可能とすることができる。
【００８３】
請求項３に係る発明によれば、異物除去センサを、異物収納ケースの高さ方向に複数段に設けるので、異物の回収状況を把握可能とすることができる。
【００８４】
請求項４に係る発明によれば、上記各効果を有する異物除去装置を備えるシート搬送装置を提供することができる。
【００８５】
請求項５に係る発明によれば、請求項４に記載の効果を有するシート搬送装置を備える画像形成装置を提供することができる。
【００８６】
請求項６に係る発明によれば、異物収納ケースに所定量の異物が堆積したことを異物検知センサが検知したとき、そのことを表示する表示部を画像形成装置が備えるので、異物の堆積量が所定量となった場合には、それを報知により知らせることができるから、回収した異物の量を画像形成装置のユーザーが容易に認識することができる。
【００８７】
請求項７に係る発明によれば、表示部が、異物収納ケースの現在の異物堆積量を表示するので、回収した異物の現在量を画像形成装置のユーザーが常に認識することができる。加えて、それにより、異物収納ケースがあとどれくらいで満杯になるのかを使用者が認識することができる。
【図面の簡単な説明】
【図１】この発明による画像形成装置の全体概略構成図である。
【図２】その画像形成装置が備えるシート搬送回転体に設ける異物除去装置の説明図である。
【図３】その異物除去装置が備える、異物収納ケースと異物検知センサとを示す説明図である。
【図４】異物除去装置が備える、別の異物検知センサを示す説明図である。
【図５】図４の異物検知センサのフロー図である。
【図６】異物除去装置が備える、また別の異物検知センサを示す説明図である。
【図７】図５の異物検知センサのフロー図である。
【図８】従来の異物除去装置を示す概略構成図である。
【図９】従来のシート搬送装置におけるシート搬送ガイドの断面図である。
【符号の説明】
２０    給送ローラ（シート搬送回転体）
２１    シート搬送ローラ（シート搬送回転体）
２２    レジストローラ（シート搬送回転体）
２３    ベルト搬送装置（シート搬送回転体）
２７    再搬送ローラ（シート搬送回転体）
４０、４８、５４    異物除去装置
４１    異物除去部材
４２    ローラ（回転体）
４３    刷毛
４４    異物収納ケース
４５、４９、５５、５６、５７、５８、５９、６０    異物検知センサ
５１    表示部
Ｃ      シート搬送装置
Ｓ      シート
【図１】
2004256228.tif 000003
【図２】
2004256228.tif 000004
【図３】
2004256228.tif 000005
【図４】
2004256228.tif 000006
【図５】
2004256228.tif 000007
【図６】
2004256228.tif 000008
【図７】
2004256228.tif 000009
【図８】
2004256228.tif 000010
【図９】
2004256228.tif 000011